(57)【特許請求の範囲】
【請求項１】
電動送風機およびこの電動送風機の駆動を制御する制御手段を収容する掃除機本体と、
この掃除機本体に一端が接続され他端に把持部を備えたホースと、
前記把持部に配設され前記電動送風機の駆動状態を設定する設定操作により前記制御手段に所定の電流値を出力する長手状の操作手段とを備え、
前記操作手段は、長手方向に互いに離間された複数の対をなす電極およびトリミング可能なトリミング部を備え、長手方向に沿って略直線状の回路パターンが印刷形成された回路部と、この回路部の長手方向の端部に一体的に設けられ前記回路パターンに連続して前記対をなす電極に導通する一対の端子およびこれら端子に連続する前記回路パターンに印刷形成された受動素子を備えた端子部とを有する回路基板を備え、
前記回路パターンは、前記対をなす電極の前記端子部に近い側に連続するものから順に前記回路部の長手方向に直交する方向に順次内側から外側へと形成され、
前記トリミング部は、回路基板の長手方向に対して一の前記対をなす電極と他の前記対をなす電極との間にそれぞれ位置し、前記回路パターンに対して前記対をなす電極側へと直交する成分を有する方向に沿って形成されている
ことを特徴とした電気掃除機。
【請求項２】
受動素子は、抵抗である
ことを特徴とした請求項１記載の電気掃除機。
【請求項３】
電動送風機およびこの電動送風機の駆動を制御する制御手段を収容する掃除機本体と、この掃除機本体に一端が接続され他端に把持部を備えたホースと、前記把持部に配設され前記電動送風機の駆動状態を設定する設定操作により前記制御手段に所定の電流値を出力する長手状の操作手段とを備えた電気掃除機の製造方法において、
前記操作手段は、長手方向に互いに離間された複数の対をなす電極を備え、長手方向に沿って略直線状の回路パターンが印刷形成された回路部と、この回路部の長手方向の端部に一体的に設けられ前記回路パターンに連続して前記対をなす電極に導通する一対の端子およびこれら端子に連続する前記回路パターンに印刷形成された受動素子を備えた端子部とを有する回路基板を備え、
前記回路パターンは、前記対をなす電極の前記端子部に近い側に連続するものから順に前記回路部の長手方向に直交する方向に順次内側から外側へと形成され、
前記回路パターンの一の前記対をなす電極と他の前記対をなす電極との間のそれぞれを、前記回路パターンに対して前記対をなす電極側へと直交する成分を有する方向に沿ってトリミングしてインピーダンスを調整する
ことを特徴とする電気掃除機の製造方法。
【発明の詳細な説明】
【０００１】
【発明の属する技術分野】
本発明は、電動送風機の駆動を設定するホースの把持部に設けた操作手段を備えた電気掃除機およびその製造方法に関する。
【０００２】
【従来の技術】
従来、この種の電気掃除機として、例えばホースの把持部に設けられ掃除作業者の所望する電動送風機の駆動状態が表示された操作手段の各種スイッチを設定操作することにより、ホースに設けた伝送線を介して供給される所定の電流値を適宜可変し、この可変した電流値に基づいて掃除機本体に収容した制御手段を搭載する回路基板により電動送風機の駆動を適宜制御する構成が知られている。そして、この電気掃除機では、操作手段にメンブレンスイッチが使用されている。
【０００３】
すなわち、掃除作業の際に把持されて前後に押し引きされる把持部は軽量小型化が望まれていることから、この把持部に配設される操作手段も軽量小型のメンブレンスイッチが利用される。このメンブレンスイッチは、銅箔などが一面に設けられたポリイミド樹脂などのプリント基板を、適宜エッチング処理などにて回路パターンを構成して形成した回路基板を有している。また、メンブレンスイッチは、回路パターンに設けられている対向する複数対の電極に対応してエンボスが設けられこのエンボスに各対をなす電極間を短絡するスイッチ部が設けられた操作樹脂板を有している。そして、メンブレンスイッチは、回路基板と操作樹脂基板とが一体的に接合されて構成され、柔軟性を有し耐久性に優れた軽量小型に形成されている。
【０００４】
また、メンブレンスイッチの回路基板には、各電極に対応して複数の抵抗体が面実装され、所定の電極間を短絡する操作により、対応する抵抗体の抵抗値によりホースの伝送線を介して供給される電流値を可変する操作手段が構成されている。
【０００５】
【発明が解決しようとする課題】
しかしながら、従来のメンブレンスイッチを用いた操作手段では、抵抗体を面実装しているため、メンブレンスイッチの回路基板から抵抗素子が突出する状態であることから、さらなる小型化が望まれている。このため、抵抗体を例えば抵抗体ペーストをメンブレンスイッチの回路基板に印刷して焼き付け形成することが考えられる。しかしながら、抵抗体ペーストを印刷形成する場合には、抵抗値のばらつきが生じやすく、特に複数のスイッチに対応して複数の抵抗体を形成する場合には各抵抗体の抵抗値の差が小さくなるので、制御手段が所定の抵抗値を読み取って電動送風機を駆動する制御に誤作動を生じるおそれがある。
【０００６】
本発明は、このような点に鑑みなされたもので、設定操作に対応して所定の電流値を制御手段に確実に出力する小型の操作手段を備えた電気掃除機およびその製造方法を提供することを目的とする。
【０００７】
【課題を解決するための手段】
請求項１記載の電気掃除機は、電動送風機およびこの電動送風機の駆動を制御する制御手段を収容する掃除機本体と、この掃除機本体に一端が接続され他端に把持部を備えたホースと、前記把持部に配設され前記電動送風機の駆動状態を設定する設定操作により前記制御手段に所定の電流値を出力する長手状の操作手段とを備え、前記操作手段は、長手方向に互いに離間された複数の対をなす電極およびトリミング可能なトリミング部を備え、長手方向に沿って略直線状の回路パターンが印刷形成された回路部と、この回路部の長手方向の端部に一体的に設けられ前記回路パターンに連続して前記対をなす電極に導通する一対の端子およびこれら端子に連続する前記回路パターンに印刷形成された受動素子を備えた端子部とを有する回路基板を備え、前記回路パターンは、前記対をなす電極の前記端子部に近い側に連続するものから順に前記回路部の長手方向に直交する方向に順次内側から外側へと形成され、前記トリミング部は、回路基板の長手方向に対して一の前記対をなす電極と他の前記対をなす電極との間にそれぞれ位置し、前記回路パターンに対して前記対をなす電極側へと直交する成分を有する方向に沿って形成されているものである。
【０００８】
そして、掃除機本体に接続されるホースの把持部に、長手方向に互いに離間された複数の対をなす電極を備え長手方向に沿って略直線状の回路パターンが形成された回路部とこの回路部の長手方向の端部に一体的に設けられ回路パターンに連続して対をなす電極に導通する一対の端子およびこれら端子に連続する回路パターンに印刷形成された受動素子を備えた端子部とを有し、回路パターンが、対をなす電極の端子部に近い側に連続するものから順に回路部の長手方向に直交する方向に順次内側から外側へと形成され、トリミング部が、回路基板の長手方向に対して一の対をなす電極と他の対をなす電極との間にそれぞれ位置し、回路パターンに対して対をなす電極側へと直交する成分を有する方向に沿って形成される回路基板を備え電動送風機の駆動状態を設定する設定操作により制御手段に所定の電流値を出力する操作手段を配設するため、印刷形成により小型化が図れ製造性が向上するとともに、印刷形成される受動素子の電気的特性にばらつきが生じてもトリミングによる切欠部にて調整されるので、誤作動なく安定した電動送風機の駆動制御が得られる。
【０００９】
請求項２記載の電気掃除機は、請求項１記載の電気掃除機において、受動素子は、抵抗であるものである。
【００１０】
そして、受動素子を抵抗とするため、設定操作により制御手段に出力する所定の電流値が容易に設定される。
【００１１】
請求項３記載の電気掃除機の製造方法は、電動送風機およびこの電動送風機の駆動を制御する制御手段を収容する掃除機本体と、この掃除機本体に一端が接続され他端に把持部を備えたホースと、前記把持部に配設され前記電動送風機の駆動状態を設定する設定操作により前記制御手段に所定の電流値を出力する長手状の操作手段とを備えた電気掃除機の製造方法において、前記操作手段は、長手方向に互いに離間された複数の対をなす電極を備え、長手方向に沿って略直線状の回路パターンが印刷形成された回路部と、この回路部の長手方向の端部に一体的に設けられ前記回路パターンに連続して前記対をなす電極に導通する一対の端子およびこれら端子に連続する前記回路パターンに印刷形成された受動素子を備えた端子部とを有する回路基板を備え、前記回路パターンは、前記対をなす電極の前記端子部に近い側に連続するものから順に前記回路部の長手方向に直交する方向に順次内側から外側へと形成され、前記回路パターンの一の前記対をなす電極と他の前記対をなす電極との間のそれぞれを、前記回路パターンに対して前記対をなす電極側へと直交する成分を有する方向に沿ってトリミングしてインピーダンスを調整するものである。
【００１２】
そして、掃除機本体に接続されるホースの把持部に配設され電動送風機の駆動状態を設定する設定操作により制御手段に所定の電流値を出力する操作手段の回路基板に設けられ長手方向に互いに離間された複数の対をなす電極を備えた回路部の長手方向に沿って略直線状の回路パターンの一の対をなす電極と他の対をなす電極との間のそれぞれを、回路パターンに対して対をなす電極側へと直交する成分を有する方向に沿ってトリミングしてインピーダンスを調整して形成するため、印刷形成により小型化が図れ製造性が向上するとともに、印刷形成される受動素子の電気的特性にばらつきが生じてもトリミングによる切欠部にて調整されて誤作動なく安定した電動送風機の駆動制御が得られる電気掃除機を容易に形成する。
【００１３】
【発明の実施の形態】
以下、本発明の電気掃除機の実施の一形態を図面を参照して説明する。
【００１４】
図２において、１は電気掃除機本体で、この電気掃除機本体１は電動送風機２を収容する本体であるケース体1aを有し、このケース体1aにホース３の基端が機械的に着脱自在に接続される。また、ホース３の先端には、後方に向けて分岐された形状の把持部である手許操作部４が設けられている。さらに、手許操作部４の先端には、延長管５を介して吸込口体６が取り付けられる。
【００１５】
そして、手許操作部４には、図２および図３に示すように、後方に向けて分岐され先端が自由端となる握り部11が設けられている。また、手許操作部４の上面には、上方に向けて凹溝状の取付凹部12が設けられている。さらに、この取付凹部12には、図４に示すように、手許操作部４内に連通する配線挿通孔13が開口形成されている。
【００１６】
また、取付凹部12には、スイッチである操作手段としてのスイッチ基板15が取り付けられている。このスイッチ基板15は、図１、図４ないし図８に示すように、回路基板16と銘板17とが一体的に接合された２層構造に形成されている。
【００１７】
そして、回路基板16は、図１に示すように、例えばポリエチレンテレフタレートやポリイミドなどにてフィルム状に形成された可撓性を有する薄膜合成樹脂基板21を有している。この薄膜合成樹脂基板21の一面には、銀などの導電性金属を含有する導電性ペーストが、対向する櫛状の電極22，22を複数対有した所定のパターンにスクリーン印刷されて焼き付けられた銀パターン23a が設けられている。さらに、銀パターン23a には電解めっきによりニッケルパターン23b が積層形成され、銀パターン23a およびニッケルパターン23b にて回路パターン23が形成され、略長方形平板状の回路部24が形成される。また、この回路部24の長手方向の端部には、舌片状に設けられ回路部24の回路パターン23に連続して電極22，22に導通する一対の端子25，25が同様にスクリーン印刷・焼き付け・電解めっきにて形成された端子部26が一体的に設けられている。
【００１８】
また、端子部26には、受動素子としての抵抗である複数の抵抗素子27，27が回路パターン23と同様にスクリーン印刷・焼き付けにて設けられる電流設定領域28が設けられている。
【００１９】
さらに、回路基板16の回路パターン23には、各抵抗素子27，27および対応する電極22，22間にトリミングにて図示しない切欠部が設けられるトリミング部29が設けられている。このトリミング部29は、設計目標のインピーダンス、例えば抵抗値より十分に小さく形成されている。
【００２０】
一方、銘板17は、回路基板16と同様に、例えばポリエチレンテレフタレートやポリイミドなどにて可撓性を有するフィルム状に形成され、回路基板16の外径より大きい寸法の略楕円平板状、すなわち取付凹部12に対応する形状に形成されている。そして、銘板17には、一面側に球面状に膨出するエンボス31が回路基板16の対をなす各電極22，22に対応して複数、例えば４つ設けられている。
【００２１】
また、銘板17の一面側には、電動送風機２の駆動状態の内容を表示する表示部32が印刷形成されている。さらに、銘板17の他面側には、エンボス31の内面側に位置して略円形状に、導電性ペーストがスクリーン印刷・焼き付け・電解めっきされた図示しない導電部が設けられている。
【００２２】
そして、回路基板16の回路パターン23が設けられた側と銘板17の導電部が設けられた他面側とが接着剤などにて一体的に接合されてスイッチ基板15が形成されている。なお、この接合は、図１、図７および図８に示すように、回路基板16の端子部26を除く少なくとも回路部24と銘板17とが接着剤にて接合され、端子部26は銘板17に接合されずに銘板17の周縁より内側で先端側が屈曲可能に自由端となっている。さらに、エンボス31の内面側にも接着剤が介在しない。そして、この接合により、回路基板16の対をなす電極22，22と銘板17の導電部とが所定の間隙を介して対向して常開型のスイッチ部35，36，37，38が複数、例えば４つ構成される。
【００２３】
また、銘板17の端子部26に対向する部分には、図１および図８に示すように接着剤が塗布形成され剥離シート40が剥離可能に接着する接着層41が設けられている。さらに、回路基板16の回路部の他面、すなわち回路パターン23が設けられた側と反対側の面および回路基板16と接続するために設けた銘板17の一面には、接着剤が塗布形成された接着層41が設けられている。
【００２４】
そして、スイッチ基板15は、回路基板16の端子部26に図４および図６に示すようにホース３に配設される図示しない伝送線に接続するリード線43が半田44にて接続され、屈曲されて配線挿通孔13内に挿通され、銘板17および回路基板16の各接着層41，41が取付凹部12内に接着されて、握り部11から延長管５の方向に向けて停止設定用のスイッチ部35、自動設定用のスイッチ部36、弱設定用のスイッチ部37および強設定用のスイッチ部38が１列に順次並んで取り付けられる。
【００２５】
次に、図９ないし図１１を参照して、内部構成について説明する。
【００２６】
まず、電気掃除機本体１内に配設された電動送風機２は、それぞれ電力制御用のトライアックTrを介して商用交流電源Ｅに接続されている。そして、トライアックTrのゲートには、電気掃除機本体１内に収容された図示しない回路基板上に搭載される制御手段45に接続されている。
【００２７】
この制御手段45は、第１の制御部46および第２の制御部47を備え、第１の制御部46には操作手段としてのスイッチ基板15がホース３の伝送線3aを介して着脱可能に接続されている。
【００２８】
そして、第１の制御部46は、図１０に示すように、スイッチ基板15に電源を供給する電源手段50と、スイッチ基板15からの電流値を読み取る読取手段51と、読取手段51にて読み取った電流値によりいずれのスイッチ部35〜38が操作されたかを判別する判別手段52とを備えている。
【００２９】
また、スイッチ基板15は、各対をなす電極22，22と抵抗素子27，27とにて、図１１の回路図に示すように、端子部26の端子25，25間に、抵抗R1、銘板17の停止設定用の表示部32に対応するスイッチ部35と抵抗R2との直列回路、銘板17の自動設定用の表示部32に対応するスイッチ部36と抵抗R3との直列回路、銘板17の弱設定用の表示部32に対応するスイッチ部37と抵抗R4との直列回路、および、銘板17の強設定用の表示部32に対応するスイッチ部38と抵抗R5との直列回路が並列に接続されて構成されている。そして、各抵抗R1〜R5はそれぞれ異なる抵抗値に設定され、抵抗R1が第１の制御部46からの電源を所定の電流値に可変する常時電流設定手段となり、他の各スイッチ部35〜38と直列回路を構成する抵抗R2〜R5が電源をそれぞれ異なる電流値に設定する一時電流設定手段となる。
【００３０】
また、第２の制御部47は、第１の制御部46の判別手段52にて判別した内容に対応してトライアックTrを適宜位相制御し、判別した内容に対応、すなわちスイッチ基板15の各種スイッチ部35〜38の設定操作に対応して電動送風機２の駆動状態を制御する。
【００３１】
次に、上記実施の形態の動作を説明する。
【００３２】
まず、スイッチ基板15は、例えばポリエチレンテレフタレートやポリイミドなどにてシート状に形成された可撓性を有する薄膜合成樹脂板上に、銀などの導電性金属を含有する導電性ペーストを所定のパターンにスクリーン印刷して焼き付け、銀パターン23a を形成する。この銀パターン23a は、端子部26の電流設定領域28に対応する部分に、複数の対向して離間する複数対の電極部23c を設けて形成される。この後、銀パターン23a の電極部23c ，23c 間に、抵抗体ペーストをスクリーン印刷して焼き付け、複数の抵抗素子27，27を形成する。
【００３３】
この後、抵抗素子27，27を除く銀パターン23a の部分に電解めっきを施してニッケルパターン23b を形成し、対向する電極22，22およびトリミング部29，29を有した複数の回路パターン23，23を形成する。そして、１つの回路パターン23の各抵抗素子27，27の抵抗値を測定し、所定の抵抗値となる条件の長さ寸法で、各回路パターン23，23のトリミング部29，29を同様にトリミングして切欠部を設け、抵抗値を増大させて目標の抵抗値に調整する。この後、各回路パターン23，23毎に切断して複数の回路基板16，16を切り出し形成する。
【００３４】
そして、切り出し形成した回路基板16に、あらかじめエンボス31、導電部および表示部32を設けた銘板17を接着してスイッチ基板15を形成する。
【００３５】
また、スイッチ基板15を手許操作部４に取り付けるに際しては、手許操作部４の配線挿通孔13から引き出したリード線43をスイッチ基板15の端子部26の端子25，25に半田44にて接続する。この後、剥離シート40を剥離し、端子部26を基端部分で屈曲させて配線挿通孔13内に嵌挿しつつ、回路基板16および銘板17の接着層41，41を手許操作部４の取付凹部12内に接着して取り付ける。
【００３６】
そして、掃除に際しては、電気掃除機本体１に適宜ホース３、延長管５および吸込口体６を接続し、図示しない電源コードを介して商用交流電源Ｅを供給しておく。そして、第１の制御部46の読取手段51が電流を読み取り、判別手段52にて常時電流設定手段となる抵抗R1による所定の閾値以上の電流の有無を判別し、ホース３が接続されているか否かを判別する。
【００３７】
また、読取手段51にて読み取った電流値が所定の閾値以上、すなわちいずれかのスイッチ部35〜38が操作されることにより所定の閾値以上の電流を読み取ると、判別手段52がいずれのスイッチ部35〜38が操作されたものであるかを判別し、第２の制御部47にてスイッチ部35〜38の操作に対応してトライアックTrを位相制御し、電動送風機２を所定の駆動状態に制御する。
【００３８】
ここで、スイッチ部35〜38は、銘板17に設けられた導電部が回路基板16の対向する一対の電極22，22間を短絡することにより閉成するので、銘板17のエンボス31の弾性に抗して押動操作すればよく、この銘板17の設定操作が直接スイッチ部35〜38の開閉動作となり、違和感のない良好な感触が得られ、操作性が向上する。
【００３９】
上記実施の形態では、ホース３の手許操作部４に配設され電動送風機２の駆動状態を設定する設定操作により制御手段45に所定の電流値を出力する操作手段を構成するスイッチ基板15を、スイッチ部35〜38を構成する複数対の電極22，22およびこれら電極22，22にそれぞれ接続される抵抗素子27，27を設けて印刷形成した回路パターン23の一部で各抵抗素子27，27に対応するトリミング部29，29に、トリミングにて切欠部を設けて形成するため、チップ抵抗器を面実装するなどに比して印刷形成により抵抗素子27，27が回路基板16から突出するなどがなくスイッチ基板15を小型に形成できるとともに、印刷にて形成される回路パターン23と同様の工程の印刷にて抵抗素子27，27を形成するので製造性を向上できる。
【００４０】
さらに、印刷形成により抵抗素子27，27の電気的特性にばらつきが生じても、トリミングによる切欠部にて抵抗値が調整されるので、所定の電流値を確実に制御手段45に出力でき、誤作動なく安定して電動送風機２の駆動制御ができ、掃除性を向上できる。
【００４１】
また、シート状の薄膜合成樹脂板に複数の回路パターン23を形成し、１つの回路パターン23の各抵抗素子27，27の抵抗値を測定し、所定の抵抗値となる条件の長さ寸法で、各回路パターン23，23のトリミング部29，29を同様にトリミングして切欠部を設けるため、回路パターン23，23毎に抵抗値を測定してトリミング処理する必要なく、１つの回路パターン23の各抵抗素子27，27の抵抗値を測定するのみで、複数の回路パターン23，23の抵抗素子27，27の抵抗値の調整ができ、製造性を向上できる。
【００４２】
そして、制御手段45に設定操作に対応して所定の電流値を出力する構成として、抵抗素子27，27を印刷形成するため、設定操作により所定の抵抗素子27，27により供給される電流値が適宜可変されることとなり、所定の電流値の設定が容易にできる。
【００４３】
また、離間する対をなす電極22，22を有した回路パターン23を形成する平板状の回路部24の一縁に舌片状に屈曲可能で電極22，22に導通する端子25，25が設けられた端子部26を有した回路基板16に、対をなす電極22，22に対応して表示部32，32が設けられ押動操作により電極22，22間を開閉可能で回路部24より径大に形成された可撓性の銘板17を一体的に接合するとともに、手許操作部４に銘板17を接着して取り付けるため、端子部26が銘板17に覆われて手許操作部４に取り付けされるので外観を損うことを防止できるとともに、銘板17と回路基板16とが位置ずれしても銘板17が大きいために簡単な構造で回路基板16が露出することなく一体的に接合可能で製造性を向上できる。
【００４４】
また、銘板17の回路基板16の端子部26に対向する面に手許操作部４に接着される接着層41を設けるため、接着面積を増大でき、確実に取り付けできる。
【００４５】
さらに、薄膜合成樹脂基板21の一面に導電性ペーストをスクリーン印刷・めっき処理して複数対の電極22，22を有した回路パターン23を形成する回路基板16に、対をなす電極22，22にそれぞれ対応して一面側に球面状に膨出形成したエンボス31，31の他面側に電極22，22間を短絡する導電部を設けるとともにエンボス31，31の一面側に電動送風機２の駆動状態の内容を表示する表示部32，32を設けた銘板17を接合して２層構造のスイッチ基板15を構成するため、銘板17とスイッチ部35〜38を有する基板とを共用でき、構成部材が減少して小型化でき、製造性も向上できる。
【００４６】
また、上述したように、銘板17の設定操作が直接スイッチ部35〜38の開閉動作となるので、従来のような銘板と電極22，22間を短絡させるメンブレンスイッチの導電部を有した基板との双方を押動操作することによる違和感がなく、操作性を向上できる。
【００４７】
さらに、銘板17にスイッチ部35〜38を構成する導電部を導電性ペーストのスクリーン印刷にて形成するため、例えば無電解めっきにて形成した場合に比して、設定操作されて変形する銘板17に設けても導電部が剥離するなどの損傷がなく長期間安定したスイッチ部35〜38の開閉が得られる。
【００４８】
なお、上記実施の形態において、銘板17に導電部を設けて説明したが、例えばメンブレンスイッチを銘板17に隠れるように端子部26は接合することなく一体的に接合し、銘板17の中間部から舌片状に端子部26が屈曲可能に突出するように３層構造に接合するとともに、この一体に３層構造で接合したスイッチ基板15を少なくとも銘板17に設けた接着層41にて接着して取り付けてもよい。
【００４９】
さらに、スイッチ部35〜38を４つ設けた構成について説明したが、１つあるいは複数設けてもよい。
【００５０】
また、回路基板16および銘板17は、可撓性を有するフィルム状であれば、いずれの材質の薄膜合成樹脂基板でもできる。
【００５１】
そして、受動素子として抵抗となる抵抗素子27，27を設けて説明したが、抵抗に限らず、コイルやコンデンサなどいずれの受動素子でもよい。
【００５２】
【発明の効果】
請求項１記載の電気掃除機によれば、掃除機本体に接続されるホースの把持部に、長手方向に互いに離間された複数の対をなす電極を備え長手方向に沿って略直線状の回路パターンが形成された回路部とこの回路部の長手方向の端部に一体的に設けられ回路パターンに連続して対をなす電極に導通する一対の端子およびこれら端子に連続する回路パターンに印刷形成された受動素子を備えた端子部とを有し、回路パターンが、対をなす電極の端子部に近い側に連続するものから順に回路部の長手方向に直交する方向に順次内側から外側へと形成され、トリミング部が、回路基板の長手方向に対して一の対をなす電極と他の対をなす電極との間にそれぞれ位置し、回路パターンに対して対をなす電極側へと直交する成分を有する方向に沿って形成される回路基板を備え電動送風機の駆動状態を設定する設定操作により制御手段に所定の電流値を出力する操作手段を配設するため、印刷形成により操作手段を小型化でき製造性を向上できるとともに、印刷形成される受動素子の電気的特性にばらつきが生じてもトリミングによる切欠部にて調整されるので誤作動なく安定して電動送風機の駆動制御ができ、小型の操作手段を把持部に設けることにより、把持部の小型化が図れ、掃除作業性を向上できる。
【００５３】
請求項２記載の電気掃除機によれば、請求項１記載の電気掃除機の効果に加え、受動素子を抵抗とするため、設定操作により制御手段に出力する所定の電流値を容易に設定できる。
【００５４】
請求項３記載の電気掃除機の製造方法によれば、掃除機本体に接続されるホースの把持部に配設され電動送風機の駆動状態を設定する設定操作により制御手段に所定の電流値を出力する操作手段の回路基板に設けられ長手方向に互いに離間された複数の対をなす電極を備えた回路部の長手方向に沿って略直線状の回路パターンの一の対をなす電極と他の対をなす電極との間のそれぞれを、回路パターンに対して対をなす電極側へと直交する成分を有する方向に沿ってトリミングにてインピーダンスを調整して形成するため、印刷形成により操作手段を小型化でき製造性を向上できるとともに、印刷形成される受動素子の電気的特性にばらつきが生じてもトリミングによる切欠部にて調整されて誤作動なく安定した電動送風機の駆動制御ができ、小型の操作手段を把持部に設けることによる把持部の小型化により掃除作業性を向上できる電気掃除機を容易に形成できる。
【図面の簡単な説明】
【図１】本発明の電気掃除機の実施の一形態を示すスイッチ基板の回路基板の平面図である。
【図２】同上電動送風機本体を示す斜視図である。
【図３】同上手許操作部を示す斜視図である。
【図４】同上手許操作部の一部を切り欠いた取付凹部近傍を示す側面図である。
【図５】同上スイッチ基板の一部を切り欠いた断面図である。
【図６】同上端子部を示す断面図である。
【図７】同上スイッチ基板の接着層を示す平面図である。
【図８】同上銘板の剥離シートが接着される部分の接着層を示す平面図である。
【図９】同上電気掃除機本体の回路構成を示すブロック図である。
【図１０】同上制御手段を示すブロック図である。
【図１１】同上スイッチ基板を示す回路図である。
【符号の説明】
１    電気掃除機本体
２    電動送風機
３    ホース
４    把持部である手許操作部
15    操作手段としてのスイッチ基板
16    回路基板
22    スイッチとなるスイッチ部を構成する電極
23    回路パターン
24 回路部
26 端子部
27    受動素子としての抵抗である抵抗素子
29    トリミング部
45    制御手段
【図１】
0003664296.tif 000002
【図２】
0003664296.tif 000003
【図３】
0003664296.tif 000004
【図４】
0003664296.tif 000005
【図５】
0003664296.tif 000006
【図６】
0003664296.tif 000007
【図７】
0003664296.tif 000008
【図８】
0003664296.tif 000009
【図９】
0003664296.tif 000010
【図１０】
0003664296.tif 000011
【図１１】
0003664296.tif 000012